(57)【要約】      （修正有）【課題】電気コネクタを介して充電され、美容機器本体を無線制御することができ、使用しやすく、経済的で環境に優しく、機能性が強い充電ケースと美容機器を提供する。【解決手段】充電ハウジングを含む充電ケースであって、充電ハウジング内の第１回路基板２０に、第１電池３０、充電回路、電気コネクタ及び無線遠隔制御モジュールが設けられ、充電ハウジングに、充電槽とボタンモジュール７０が設けられ、電気コネクタは、充電ハウジングを貫通して配置され、ボタンモジュールは、無線遠隔制御モジュールに接続される。充電ケースを含む美容機器において、充電槽内に美容機器本体が埋め込まれ、美容機器本体内の第２回路基板に、電源モジュール、信号送受信ユニット及び充電コネクタが取り付けられ、充電コネクタは、美容機器本体を貫通して電気コネクタに適合する。【選択図】図８
0003232220.tif 000002
【実用新案登録請求の範囲】
【請求項１】
充電ハウジング（１０）を含み、前記充電ハウジング（１０）内には、第１回路基板（２０）が設けられ、前記第１回路基板（２０）には、第１電池（３０）、充電回路（４０）、電気コネクタ（５０）、及び被充電デバイスを無線制御するための無線遠隔制御モジュール（６０）が設けられ、前記充電回路（４０）は、第１電池（３０）、電気コネクタ（５０）及び無線遠隔制御ユニット（６０）にそれぞれ電気的に接続され、前記充電ハウジング（１０）には、被充電デバイスを嵌合及び収容するための充電槽（１０ａ）とボタンモジュール（７０）が設けられ、前記電気コネクタ（５０）は、充電ハウジング（１０）を貫通して被充電デバイスに電気的に接続され、前記ボタンモジュール（７０）は、無線遠隔制御モジュール（６０）に電気的に接続されることを特徴とする充電ケース。
【請求項２】
前記第１回路基板（２０）には、充電インターフェース（１２０）が設けられ、前記充電インターフェース（１２０）は、充電回路（４０）に電気的に接続され、前記充電インターフェース（１２０）は、充電ハウジング（１０）を貫通して配置され、
前記充電ハウジング（１０）は、取り外し可能に接続された第１上部ハウジング（１１）と第１下部ハウジング（１２）を含み、前記第１上部ハウジング（１１）には、充電槽（１０ａ）が配置され、
前記電気コネクタ（５０）は、充電ピンであることを特徴とする請求項１に記載の充電ケース。
【請求項３】
充電ハウジング（１０）にカバーされたトップカバー（８０）をさらに含み、前記トップカバー（８０）は、充電ハウジング（１０）に旋回可能に接続され、
前記充電ハウジング（１０）内には、トップカバー（８０）を磁気的に誘引するための第１磁気部材（９０）が設けられ、前記第１磁気部材（９０）は、トップカバー（８０）の近くに配置され、
前記トップカバー（８０）には、ミラー（１００）が取り付けられ、
前記充電ハウジング（１０）には、外部フレーム（１１０）がさらに設けられることを特徴とする請求項１又は２に記載の充電ケース。
【請求項４】
請求項１〜３のいずれか一項に記載の充電ケース（１）を含み、前記充電槽（１０ａ）内には、美容機器本体（２）が埋め込まれ、前記美容機器本体（２）内には、第２回路基板（３）が設けられ、前記第２回路基板（３）には、電源モジュール（４）、信号送受信ユニット（５）及び充電コネクタ（６）が取り付けられ、前記電源モジュール（４）は、信号送受信ユニット（５）と充電コネクタ（６）にそれぞれ電気的に接続され、前記信号送受信ユニット（５）は、アンテナを介して、無線遠隔制御ユニット（６０）に無線接続され、前記充電コネクタ（６）は、美容機器本体（２）を貫通して電気コネクタ（５０）に適合していることを特徴とする美容機器。
【請求項５】
前記第２回路基板（３）には、微小電流発生回路（７）が設けられ、前記微小電流発生回路（７）は、電源モジュール（４）と信号送受信ユニット（５）にそれぞれ電気的に接続され、前記美容機器本体（２）には、顔面と直接接触するための導電性シート（８）が設けられ、前記導電性シート（８）は、微小電流発生回路（７）に電気的に接続されることを特徴とする請求項４に記載の美容機器。
【請求項６】
前記充電ハウジング（１０）内には、第３磁気部材（１５０）が設けられ、前記美容機器本体（２）内には、磁気作用により第３磁気部材（１５０）に接続された金属板（２７）が設けられることを特徴とする請求項４又は５に記載の美容機器。
【考案の詳細な説明】
【技術分野】
【０００１】
本考案は、美容デバイスの技術分野に関し、特に、充電ケースと美容機器に関する。
【背景技術】
【０００２】
美容デバイスは、一般的に血液循環を促進する方法を採用して、皮膚と皮下脂肪層のリラックスと老化を防ぎ、且つ皮膚の弾力性と活力を維持し、それによりしわを滑らかにし、容姿を美しくするという目的を達成する。
【考案の概要】
【考案が解決しようとする課題】
【０００３】
従来の美容デバイスは、一般的にブラシやマッサージヘッドなどの器具を採用して皮膚をマッサージすることにより、体内の血液循環を促進し、皮膚の老化を遅らせる。しかし、電池を交換するか、又は充電デバイス（例えば、充電ケーブル）を接続するという方法を採用して美容機器の電力を蓄える必要があり、電池を交換する場合は、経済的でなく環境に優しくないという問題があり、充電デバイスを採用する場合は、利便性が不十分で機能が単一であるという問題がある。
【課題を解決するための手段】
【０００４】
上記技術的欠陥を解決するために、本考案が採用する技術的解決手段は、充電ハウジングを含む充電ケースを提供することであり、前記充電ハウジング内には、第１回路基板が設けられ、前記第１回路基板には、第１電池、充電回路、電気コネクタ、及び被充電デバイスを無線制御するための無線遠隔制御モジュールが設けられ、前記充電回路は、第１電池、電気コネクタ及び無線遠隔制御ユニットにそれぞれ電気的に接続され、前記充電ハウジングには、被充電デバイスを嵌合及び収容するための充電槽とボタンモジュールが設けられ、前記電気コネクタは、充電ハウジングを貫通して被充電デバイスに電気的に接続され、前記ボタンモジュールは、無線遠隔制御モジュールに電気的に接続される。
【０００５】
さらに、前記第１回路基板には、充電インターフェースが設けられ、前記充電インターフェースは、充電回路に電気的に接続され、前記充電インターフェースは、充電ハウジングを貫通して配置される。
【０００６】
前記充電ハウジングは、取り外し可能に接続された第１上部ハウジングと第１下部ハウジングを含み、前記第１上部ハウジングには、充電槽が配置される。
【０００７】
前記電気コネクタは、充電ピンである。
【０００８】
さらに、充電ハウジングにカバーされたトップカバーをさらに含み、前記トップカバーは、充電ハウジングに旋回可能に接続される。
【０００９】
前記充電ハウジング内には、トップカバーを磁気的に誘引するための第１磁気部材が設けられ、前記第１磁気部材は、トップカバーの近くに配置される。
【００１０】
前記トップカバーには、ミラーが取り付けられる。
【００１１】
前記充電ハウジングには、外部フレームがさらに設けられる。
【００１２】
本考案は、上記充電ケースを含む美容機器をさらに開示し、前記充電槽内には、美容機器本体が埋め込まれ、前記美容機器本体内には、第２回路基板が設けられ、前記第２回路基板には、電源モジュール、信号送受信ユニット及び充電コネクタが取り付けられ、前記電源モジュールは、信号送受信ユニットと充電コネクタにそれぞれ電気的に接続され、前記信号送受信ユニットは、アンテナを介して無線遠隔制御ユニットに無線接続され、前記充電コネクタは、美容機器本体を貫通して電気コネクタに適合している。
【００１３】
さらに、前記第２回路基板には、微小電流発生回路が設けられ、前記微小電流発生回路は、電源モジュールと信号送受信ユニットにそれぞれ電気的に接続され、前記美容機器本体には、顔面と直接接触するための導電性シートが設けられ、前記導電性シートは、微小電流発生回路に電気的に接続される。
【００１４】
さらに、前記充電ハウジング内には、第３磁気部材が設けられ、前記美容機器本体内には、磁気作用により第３磁気部材に接続された金属板が設けられる。
【考案の効果】
【００１５】
従来の技術と比較して、本考案の技術的解決手段の有益な効果は、以下のとおりである。
【００１６】
本考案が提供する充電ケースと美容機器は、電気コネクタにより充電コネクタに嵌合して、充電槽内での美容機器を充電することができるため、便利で速く、経済的で環境に優しいと同時に、無線遠隔制御モジュールは、信号送受信ユニットと無線通信して、美容機器の無線制御を実現することができるため、美容機器本体の体積を小さくし、且つ充電ケースの機能性が強くなる。
【００１７】
本考案の実施例における技術的解決手段をより明確に説明するために、以下は、実施例の説明に必要な図面を簡単に説明する。明らかに、以下で説明される図面は、本考案のいくつかの実施例にすぎず、当業者であれば、創造的な労力を要することなく、これらの図面に基づいて他の図面に想到しうる。
【図面の簡単な説明】
【００１８】
【図１】本考案の実施例が提供する美容機器の一実施例の斜視図である。
【図２】本考案の実施例が提供する美容機器の別の実施例の斜視図である。
【図３】本考案の実施例が提供する美容機器本体の一実施例の斜視図である。
【図４】図３の分解模式図である。
【図５】図３の断面図である。
【図６】本考案の実施例が提供する美容機器本体の別の実施例の分解模式図である。
【図７】本考案の実施例が提供する充電ケースの一実施例の分解模式図である。
【図８】本考案の実施例が提供する充電ケースの別の実施例の分解模式図である。
【図９】本考案の実施例が提供する充電ケースの無線遠隔制御モジュールの回路図である。
【図１０】本考案の実施例が提供する充電ケースの遠隔制御ボードの回路原理図である。
【図１１】本考案の実施例が提供する充電ケースの充電ボードの回路原理図である。
【図１２】本考案の実施例が提供する充電ケースの指示灯とボタンモジュールの回路図である。
【図１３】本考案の実施例が提供する美容機器本体の信号送受信ユニットの回路図である。
【図１４】本考案の実施例が提供する美容機器本体の微小電流発生回路の回路原理図である。
【図１５】本考案の実施例が提供する美容機器本体の電源モジュールの回路原理図である。
【図１６】本考案の実施例が提供する美容機器本体の作動指示灯とブザーの回路図である。
【考案を実施するための形態】
【００１９】
以下、図面と特定の実施例を参照して、本考案をさらに説明する。
【実施例】
【００２０】
図１〜１６に示すように、本考案は、充電ハウジング１０を含む充電ケースを提供し、充電ハウジング１０内には、第１回路基板２０が設けられ、第１回路基板２０には、第１電池３０、充電回路４０、電気コネクタ５０、及び被充電デバイスを無線制御するための無線遠隔制御モジュール６０が設けられ、充電回路４０は、第１電池３０、電気コネクタ５０及び無線遠隔制御ユニット６０にそれぞれ電気的に接続され、充電ハウジング１０には、被充電デバイスを嵌合及び収容するための充電槽１０ａとボタンモジュール７０が設けられ、電気コネクタ５０は、充電ハウジング１０を貫通して被充電デバイスに電気的に接続され、ボタンモジュール７０は、無線遠隔制御モジュール６０に電気的に接続される。
【００２１】
具体的には、充電ハウジング１０には、ボタンモジュール７０に嵌合するスイッチボタン１６０が設けられる。電気コネクタ５０は、充電ピンである。第１回路基板２０には、充電回路４０に電気的に接続されたパワーインジケータとモードインジケータが設けられ、第１回路基板２０は、充電ボードと遠隔制御ボードを含み、充電回路４０と充電インターフェース１２０は、充電ボードに配置され、無線遠隔制御モジュール６０、ボタンモジュール７０、パワーインジケータ及びモードインジケータは、遠隔制御ボードに配置される。第１回路基板２０には、充電インターフェース１２０が設けられ、充電インターフェース１２０は、充電回路４０に電気的に接続され、充電インターフェース１２０は、充電ハウジング１０を貫通して配置される。外部電源は、充電ケースを充電でき、充電ケース内での電池は、充電槽１０ａ内での美容機器を充電できる。
【００２２】
具体的には、充電槽１０ａの対向する両側壁には、充電槽１０ａ内から美容機器を取り出すのを容易にするための凹陥部が設けられる。
【００２３】
好ましくは、充電ハウジング１０にカバーされたトップカバー８０をさらに含み、トップカバー８０は、充電ハウジング１０に旋回可能に接続される。トップカバー８０には、ミラー１００が取り付けられる。充電ハウジング１０には、凹陥部が設けられるか、又はトップカバー８０には、凸起部が設けられることにより、充電ケースの開きを容易にする。
【００２４】
本実施例では、トップカバー８０と充電ハウジング１０との間の接続方法は、旋回可能な接続に限定されず、摺動可能な接続又は係止であってもよい。  
【００２５】
そのうちの旋回可能な接続の実施形態として、具体的には、トップカバー８０には、旋回軸ベース８０ａが設けられ、旋回軸ベース８０ａの両端には、軸孔がそれぞれ設けられ、充電ハウジング１０には、旋回可能な取り付け口が設けられ、旋回可能な取り付け口の対向する両側壁には、旋回軸１３０が固定的に設けられ、旋回軸ベース８０ａは、旋回可能な取り付け口に嵌合して設けられ、且つ旋回軸１３０に嵌設して取り付けられる。
【００２６】
別の旋回可能な接続の実施形態として、上記方法との違いは、旋回軸ベース８０ａは、維持する間隔に対応して、２つ設けられ、２つの旋回軸ベース８０ａの外側には、軸溝がそれぞれ設けられ、２つの旋回軸ベース８０ａの内側には、接続軸がそれぞれ設けられ、旋回可能な取り付け口には、２つの旋回軸１３０の間に位置する取り付けベースがさらに設けられ、取り付けベースの両端には、位置決め溝が設けられ、軸溝と旋回軸１３０は、嵌合取り付けられ、接続軸は、位置決め溝に嵌合取り付けられることである。
【００２７】
好ましくは、充電ハウジング１０内には、トップカバー８０を磁気的に誘引するための第１磁気部材９０が設けられ、第１磁気部材９０は、トップカバー８０の近くに配置される。
【００２８】
具体的には、トップカバー８０の内側には、誘引により第１磁気部材９０に接続された第２磁気部材１４０が取り付けられ、充電ハウジング１０内には、被充電デバイスを磁気的に誘引するための第３磁気部材１５０が設けられ、第３磁気部材１５０は、充電槽１０ａの下方に位置している。第１磁気部材９０、第２磁気部材１４０及び第３磁気部材１５０は、磁気シート、磁気ブロック又は磁気ストリップである。
【００２９】
好ましくは、充電ハウジング１０は、取り外し可能に接続された第１上部ハウジング１１と第１下部ハウジング１２を含み、第１上部ハウジング１１には、充電槽１０ａが配置され、第１下部ハウジング１２内には、収容キャビティが設けられる。
【００３０】
具体的には、充電ハウジング１０には、外部フレーム１１０がさらに設けられる。ここで、外部フレーム１１０は、下外部フレーム１１１と上部外部フレーム１１３を含み、下外部フレーム１１１は、第１下部ハウジング１２に取り付けられ、第１下部ハウジング１１の底部には、位置決め溝が設けられ、位置決め溝内には、第１上部ハウジング１１と第１下部ハウジング１２を固定するネジを遮るための底板１１２が取り付けられ、上部外部フレーム１１３は、第１上部ハウジング１１に取り付けられる。トップカバー８０は、順番に取り付けられたミラー取り付け用フレーム８１、インナーカバー８２及びアウターカバー８３を含み、旋回軸ベース８０ａは、ミラー取り付け用フレーム８１に取り付けられ、第２磁気部材１４０は、インナーカバー８２に取り付けられる。
【００３１】
本考案は、充電ケース１を含む美容機器をさらに提供し、充電槽１０ａ内には、美容機器本体２が埋め込まれ、美容機器本体２内には、第２回路基板３が設けられ、第２回路基板３には、電源モジュール４、信号送受信ユニット５及び充電コネクタ６が取り付けられ、電源モジュール４は、信号送受信ユニット５と充電コネクタ６にそれぞれ電気的に接続され、信号送受信ユニット５は、アンテナを介して無線遠隔制御ユニット６０に無線接続され、充電コネクタ６は、美容機器本体２を貫通して電気コネクタ５０に適合している。
【００３２】
具体的には、美容機器本体２には、充電ポート２ａが設けられ、充電コネクタ６は、充電ピンに適合している充電シンブルであり、充電シンブル６は、充電ポート２ａに嵌合して設けられる。
【００３３】
具体的には、美容機器本体２内には、磁気作用により第３磁気部材１５０に接続された金属板２７が設けられ、金属板２７は、電源モジュール４の下方に位置しており、金属板２７がニッケルメッキ板であることが好ましい。充電ケース１を逆さまにしてトップカバー８０を開くと、美容機器本体２が充電槽１０ａ内から落ちるのを防ぐ。
【００３４】
具体的には、美容機器本体２は、取り外し可能に接続された第２上部ハウジング２１と第２下部ハウジング２２を含み、第２上部ハウジング２２又は第２下部ハウジング２１内には、収容キャビティが設けられる。第２下部ハウジング２２には、美容機器本体２を開閉するためのボタン２５が移動可能に取り付けられ、第２上部ハウジング２１と第２下部ハウジング２２との間には、シールリングが設けられ、第２下部ハウジング２２と第２回路基板３との間には、ボタン２５を防水するための防水パッド９がさらに設けられ、防水パッド９には、ボタン嵌合部が設けられる。導電性シート８は、第２上部ハウジング２１の外面に取り付けられる。
【００３５】
好ましくは、第２回路基板３には、微小電流発生回路７が設けられ、微小電流発生回路７は、電源モジュール４と信号送受信ユニット５にそれぞれ電気的に接続され、美容機器本体２には、顔面と直接接触するための導電性シート８が設けられ、導電性シート８は、微小電流発生回路７に電気的に接続され、導電性シート８は、顔面の皮膚に微小電流刺激を適用するステンレス鋼板である。ここで、第２回路基板３には、作動指示灯とブザーがさらに設けられる。
【００３６】
図５に示す断面図は、導電性シート８を垂直方向に切断することにより得られたものであり、具体的には、第２回路基板３には、導電性ネジ３１が取り付けられ、導電性ネジ３１の下端は、美容機器本体２を貫通して導電性シート７と密接に接触する導電性スプリング３２が設けられる。美容機器本体２の外側には、基板２３が取り付けられ、導電性シート８は、基板２３の外面に嵌合取り付けられ、基板２３の背面には、美容機器本体２内に挿入された支持柱２４が設けられ、支持柱２４内には、基板２３を上下に貫通する貫通穴が設けられ、導電性ネジ３１の下端は、貫通穴の上部に埋め込まれ、貫通穴の下部は、変位制限導電性スプリング３２に嵌合する。美容機器本体２と基板２３との間には、支持柱２４の外側に嵌設されたシールリングが設けられる。
【００３７】
微小電流発生回路７により発生された微小電流は、導電性ネジ３１を経て導電性スプリング３２を介して導電性シート８に伝達され、且つ皮膚に作用し、特に顔面の皮膚の場合、微小電流を利用して筋肉とリンパを刺激することにより筋肉を収縮させると、浮腫を取り除き、持ち上げたり引き締めたりする効果を達成することができると同時に、導電性ネジ３１と導電性シート８を導電性スプリング３２で接続することにより、導電性ネジ３１が導電性シート８に直接接触することで導電性シート８の一部が膨らみ、皮膚に密着できないことをもたらすという問題を避けることができるため、快適度が良好であると同時に、一定の耐衝撃効果があり、構造の複雑さが低く、体積が小さい。
【００３８】
具体的には、第２下部ハウジング２２の外側には、保護カバー２６がさらに設けられ、ボタン２５は、保護カバー２６に移動可能に取り付けられる。
【００３９】
充電ハウジング１０は、複数の被充電デバイスを同時に容易に充電及び無線制御するために、複数の充電槽１０ａを備え得、ボタンモジュール７０は、複数の被充電デバイスを同時に閉じるように制御するために使用される。
【００４０】
図９〜１２に示すように、Ｕ３は、無線遠隔制御モジュール６０であり、Ｕ１は、電源管理チップであり、Ｕ２は、電圧レギュレータチップである。
【００４１】
図１３〜１６に示すように、Ｕ１は、信号送受信ユニット５であり、Ｕ２は、電源管理チップであり、Ｕ４は、電圧レギュレータチップであり、ＢＴ１は、電池であり、Ｂ１は、ブザーであり、ＰＡＤＡとＰＡＤＢは、導電性シート８にそれぞれ接続される。
【００４２】
使用中、充電ケース１内での第１電池３０は、充電インターフェース１２０を介して充電され、第１電池３０は、充電槽１０ａ内での充電シンブルを介して美容機器本体２内での電源モジュール４を充電し、十分な電力の場合、美容機器本体２を充電槽１０ａ内から取り出し、ミラー１００を見て導電性シート８を顔面の皮膚に当ててゆっくりと移動させ、無線遠隔制御モジュール６０のボタンモジュール７０を介して信号送受信ユニット５に制御信号を送信することにより、微小電流発生回路７により発生された微小電流が導電性シート８を経て顔面の皮膚に作用するように制御でき、微小電流を利用して筋肉とリンパを刺激することにより顔面の筋肉を収縮させると、浮腫を取り除き、持ち上げたり引き締めたりする効果を達成することができる。
【００４３】
上記は、本考案の好ましい実施形態にすぎず、本考案の保護範囲は、上記実施例にのみ限定されるものではなく、本考案のアイデアに基づくすべての技術的解決手段はいずれも、本考案の保護範囲に属する。当業者であれば、本考案の原理を逸脱することなくいくつかの改善と修正を行うことが可能であり、これらの改善と修正も本考案の保護範囲に含まれるものとすることを指摘すべきである。
【符号の説明】
【００４４】
１０    充電ハウジング
１０ａ  充電槽
１１    第１上部ハウジング
１２    第１下部ハウジング
２０    第１回路基板
３０    第１電池
４０    充電回路
５０    電気コネクタ
６０    無線遠隔制御モジュール
７０    ボタンモジュール
８０    トップカバー
８０ａ  旋回軸ベース
８１    ミラー取り付け用フレーム
８２    インナーカバー
８３    アウターカバー
９０    第１磁気部材
１００  ミラー
１１０  外部フレーム
１１１  下部外部フレーム
１１２    底板
１１３    上部外部フレーム
１２０    充電インターフェース
１３０    旋回軸
１４０    第２磁気部材
１５０    第３磁気部材
１６０    スイッチボタン
１      充電ケース
２      美容機器本体
２ａ    充電ポート
２１    第２上部ハウジング
２２    第２下部ハウジング
２３    基板
２４    支持柱
２５    ボタン
２６    保護カバー
２７    金属板
３      第２回路基板
３１    導電性ネジ
３２    導電性スプリング
４    電源モジュール
５    信号送受信ユニット
６    充電コネクタ
７    微小電流発生回路
８    導電性シート
９    防水パッド
【図１】
0003232220.tif 000003
【図２】
0003232220.tif 000004
【図３】
0003232220.tif 000005
【図４】
0003232220.tif 000006
【図５】
0003232220.tif 000007
【図６】
0003232220.tif 000008
【図７】
0003232220.tif 000009
【図８】
0003232220.tif 000010
【図９】
0003232220.tif 000011
【図１０】
0003232220.tif 000012
【図１１】
0003232220.tif 000013
【図１２】
0003232220.tif 000014
【図１３】
0003232220.tif 000015
【図１４】
0003232220.tif 000016
【図１５】
0003232220.tif 000017
【図１６】
0003232220.tif 000018
【手続補正書】
【提出日】令和3年3月12日(2021.3.12)
【手続補正１】
【補正対象書類名】実用新案登録請求の範囲
【補正対象項目名】全文
【補正方法】変更
【補正の内容】
【実用新案登録請求の範囲】
【請求項１】
充電ハウジング（１０）を含み、前記充電ハウジング（１０）内には、第１回路基板（２０）が設けられ、前記第１回路基板（２０）には、第１電池（３０）、充電回路（４０）、電気コネクタ（５０）、及び被充電デバイスを無線制御するための無線遠隔制御モジュール（６０）が設けられ、前記充電回路（４０）は、第１電池（３０）、電気コネクタ（５０）及び無線遠隔制御ユニットにそれぞれ電気的に接続され、前記充電ハウジング（１０）には、被充電デバイスを嵌合及び収容するための充電槽（１０ａ）とボタンモジュール（７０）が設けられ、前記電気コネクタ（５０）は、充電ハウジング（１０）を貫通して被充電デバイスに電気的に接続され、前記ボタンモジュール（７０）は、無線遠隔制御モジュール（６０）に電気的に接続されることを特徴とする充電ケース。
【請求項２】
前記第１回路基板（２０）には、充電インターフェース（１２０）が設けられ、前記充電インターフェース（１２０）は、充電回路（４０）に電気的に接続され、前記充電インターフェース（１２０）は、充電ハウジング（１０）を貫通して配置され、
前記充電ハウジング（１０）は、取り外し可能に接続された第１上部ハウジング（１１）と第１下部ハウジング（１２）を含み、前記第１上部ハウジング（１１）には、充電槽（１０ａ）が配置され、
前記電気コネクタ（５０）は、充電ピンであることを特徴とする請求項１に記載の充電ケース。
【請求項３】
充電ハウジング（１０）にカバーされたトップカバー（８０）をさらに含み、前記トップカバー（８０）は、充電ハウジング（１０）に旋回可能に接続され、
前記充電ハウジング（１０）内には、トップカバー（８０）を磁気的に誘引するための第１磁気部材（９０）が設けられ、前記第１磁気部材（９０）は、トップカバー（８０）の近くに配置され、
前記トップカバー（８０）には、ミラー（１００）が取り付けられ、
前記充電ハウジング（１０）には、外部フレーム（１１０）がさらに設けられることを特徴とする請求項１又は２に記載の充電ケース。
【請求項４】
請求項１〜３のいずれか一項に記載の充電ケース（１）を含み、前記充電槽（１０ａ）内には、美容機器本体（２）が埋め込まれ、前記美容機器本体（２）内には、第２回路基板（３）が設けられ、前記第２回路基板（３）には、電源モジュール（４）、信号送受信ユニット（５）及び充電コネクタ（６）が取り付けられ、前記電源モジュール（４）は、信号送受信ユニット（５）と充電コネクタ（６）にそれぞれ電気的に接続され、前記信号送受信ユニット（５）は、アンテナを介して、無線遠隔制御ユニットに無線接続され、前記充電コネクタ（６）は、美容機器本体（２）を貫通して電気コネクタ（５０）に適合していることを特徴とする美容機器。
【請求項５】
前記第２回路基板（３）には、微小電流発生回路（７）が設けられ、前記微小電流発生回路（７）は、電源モジュール（４）と信号送受信ユニット（５）にそれぞれ電気的に接続され、前記美容機器本体（２）には、顔面と直接接触するための導電性シート（８）が設けられ、前記導電性シート（８）は、微小電流発生回路（７）に電気的に接続されることを特徴とする請求項４に記載の美容機器。
【請求項６】
前記充電ハウジング（１０）内には、第３磁気部材（１５０）が設けられ、前記美容機器本体（２）内には、磁気作用により第３磁気部材（１５０）に接続された金属板（２７）が設けられることを特徴とする請求項４又は５に記載の美容機器。
【手続補正２】
【補正対象書類名】明細書
【補正対象項目名】全文
【補正方法】変更
【補正の内容】
【考案の詳細な説明】
【技術分野】
【０００１】
本考案は、美容デバイスの技術分野に関し、特に、充電ケースと美容機器に関する。
【背景技術】
【０００２】
美容デバイスは、一般的に血液循環を促進する方法を採用して、皮膚と皮下脂肪層のリラックスと老化を防ぎ、且つ皮膚の弾力性と活力を維持し、それによりしわを滑らかにし、容姿を美しくするという目的を達成する。
【考案の概要】
【考案が解決しようとする課題】
【０００３】
従来の美容デバイスは、一般的にブラシやマッサージヘッドなどの器具を採用して皮膚をマッサージすることにより、体内の血液循環を促進し、皮膚の老化を遅らせる。しかし、電池を交換するか、又は充電デバイス（例えば、充電ケーブル）を接続するという方法を採用して美容機器の電力を蓄える必要があり、電池を交換する場合は、経済的でなく環境に優しくないという問題があり、充電デバイスを採用する場合は、利便性が不十分で機能が単一であるという問題がある。
【課題を解決するための手段】
【０００４】
上記技術的欠陥を解決するために、本考案が採用する技術的解決手段は、充電ハウジングを含む充電ケースを提供することであり、前記充電ハウジング内には、第１回路基板が設けられ、前記第１回路基板には、第１電池、充電回路、電気コネクタ、及び被充電デバイスを無線制御するための無線遠隔制御モジュールが設けられ、前記充電回路は、第１電池、電気コネクタ及び無線遠隔制御ユニットにそれぞれ電気的に接続され、前記充電ハウジングには、被充電デバイスを嵌合及び収容するための充電槽とボタンモジュールが設けられ、前記電気コネクタは、充電ハウジングを貫通して被充電デバイスに電気的に接続され、前記ボタンモジュールは、無線遠隔制御モジュールに電気的に接続される。
【０００５】
さらに、前記第１回路基板には、充電インターフェースが設けられ、前記充電インターフェースは、充電回路に電気的に接続され、前記充電インターフェースは、充電ハウジングを貫通して配置される。
【０００６】
前記充電ハウジングは、取り外し可能に接続された第１上部ハウジングと第１下部ハウジングを含み、前記第１上部ハウジングには、充電槽が配置される。
【０００７】
前記電気コネクタは、充電ピンである。
【０００８】
さらに、充電ハウジングにカバーされたトップカバーをさらに含み、前記トップカバーは、充電ハウジングに旋回可能に接続される。
【０００９】
前記充電ハウジング内には、トップカバーを磁気的に誘引するための第１磁気部材が設けられ、前記第１磁気部材は、トップカバーの近くに配置される。
【００１０】
前記トップカバーには、ミラーが取り付けられる。
【００１１】
前記充電ハウジングには、外部フレームがさらに設けられる。
【００１２】
本考案は、上記充電ケースを含む美容機器をさらに開示し、前記充電槽内には、美容機器本体が埋め込まれ、前記美容機器本体内には、第２回路基板が設けられ、前記第２回路基板には、電源モジュール、信号送受信ユニット及び充電コネクタが取り付けられ、前記電源モジュールは、信号送受信ユニットと充電コネクタにそれぞれ電気的に接続され、前記信号送受信ユニットは、アンテナを介して無線遠隔制御ユニットに無線接続され、前記充電コネクタは、美容機器本体を貫通して電気コネクタに適合している。
【００１３】
さらに、前記第２回路基板には、微小電流発生回路が設けられ、前記微小電流発生回路は、電源モジュールと信号送受信ユニットにそれぞれ電気的に接続され、前記美容機器本体には、顔面と直接接触するための導電性シートが設けられ、前記導電性シートは、微小電流発生回路に電気的に接続される。
【００１４】
さらに、前記充電ハウジング内には、第３磁気部材が設けられ、前記美容機器本体内には、磁気作用により第３磁気部材に接続された金属板が設けられる。
【考案の効果】
【００１５】
従来の技術と比較して、本考案の技術的解決手段の有益な効果は、以下のとおりである。
【００１６】
本考案が提供する充電ケースと美容機器は、電気コネクタにより充電コネクタに嵌合して、充電槽内での美容機器を充電することができるため、便利で速く、経済的で環境に優しいと同時に、無線遠隔制御モジュールは、信号送受信ユニットと無線通信して、美容機器の無線制御を実現することができるため、美容機器本体の体積を小さくし、且つ充電ケースの機能性が強くなる。
【００１７】
本考案の実施例における技術的解決手段をより明確に説明するために、以下は、実施例の説明に必要な図面を簡単に説明する。明らかに、以下で説明される図面は、本考案のいくつかの実施例にすぎず、当業者であれば、創造的な労力を要することなく、これらの図面に基づいて他の図面に想到しうる。
【図面の簡単な説明】
【００１８】
【図１】本考案の実施例が提供する美容機器の一実施例の斜視図である。
【図２】本考案の実施例が提供する美容機器の別の実施例の斜視図である。
【図３】本考案の実施例が提供する美容機器本体の一実施例の斜視図である。
【図４】図３の分解模式図である。
【図５】図３の断面図である。
【図６】本考案の実施例が提供する美容機器本体の別の実施例の分解模式図である。
【図７】本考案の実施例が提供する充電ケースの一実施例の分解模式図である。
【図８】本考案の実施例が提供する充電ケースの別の実施例の分解模式図である。
【図９】本考案の実施例が提供する充電ケースの無線遠隔制御モジュールの回路図である。
【図１０】本考案の実施例が提供する充電ケースの遠隔制御ボードの回路原理図である。
【図１１】本考案の実施例が提供する充電ケースの充電ボードの回路原理図である。
【図１２】本考案の実施例が提供する充電ケースの指示灯とボタンモジュールの回路図である。
【図１３】本考案の実施例が提供する美容機器本体の信号送受信ユニットの回路図である。
【図１４】本考案の実施例が提供する美容機器本体の微小電流発生回路の回路原理図である。
【図１５】本考案の実施例が提供する美容機器本体の電源モジュールの回路原理図である。
【図１６】本考案の実施例が提供する美容機器本体の作動指示灯とブザーの回路図である。
【考案を実施するための形態】
【００１９】
以下、図面と特定の実施例を参照して、本考案をさらに説明する。
【実施例】
【００２０】
図１〜１６に示すように、本考案は、充電ハウジング１０を含む充電ケースを提供し、充電ハウジング１０内には、第１回路基板２０が設けられ、第１回路基板２０には、第１電池３０、充電回路４０、電気コネクタ５０、及び被充電デバイスを無線制御するための無線遠隔制御モジュール６０が設けられ、充電回路４０は、第１電池３０、電気コネクタ５０及び無線遠隔制御ユニットにそれぞれ電気的に接続され、充電ハウジング１０には、被充電デバイスを嵌合及び収容するための充電槽１０ａとボタンモジュール７０が設けられ、電気コネクタ５０は、充電ハウジング１０を貫通して被充電デバイスに電気的に接続され、ボタンモジュール７０は、無線遠隔制御モジュール６０に電気的に接続される。
【００２１】
具体的には、充電ハウジング１０には、ボタンモジュール７０に嵌合するスイッチボタン１６０が設けられる。電気コネクタ５０は、充電ピンである。第１回路基板２０には、充電回路４０に電気的に接続されたパワーインジケータとモードインジケータが設けられ、第１回路基板２０は、充電ボードと遠隔制御ボードを含み、充電回路４０と充電インターフェース１２０は、充電ボードに配置され、無線遠隔制御モジュール６０、ボタンモジュール７０、パワーインジケータ及びモードインジケータは、遠隔制御ボードに配置される。第１回路基板２０には、充電インターフェース１２０が設けられ、充電インターフェース１２０は、充電回路４０に電気的に接続され、充電インターフェース１２０は、充電ハウジング１０を貫通して配置される。外部電源は、充電ケースを充電でき、充電ケース内での電池は、充電槽１０ａ内での美容機器を充電できる。
【００２２】
具体的には、充電槽１０ａの対向する両側壁には、充電槽１０ａ内から美容機器を取り出すのを容易にするための凹陥部が設けられる。
【００２３】
好ましくは、充電ハウジング１０にカバーされたトップカバー８０をさらに含み、トップカバー８０は、充電ハウジング１０に旋回可能に接続される。トップカバー８０には、ミラー１００が取り付けられる。充電ハウジング１０には、凹陥部が設けられるか、又はトップカバー８０には、凸起部が設けられることにより、充電ケースの開きを容易にする。
【００２４】
本実施例では、トップカバー８０と充電ハウジング１０との間の接続方法は、旋回可能な接続に限定されず、摺動可能な接続又は係止であってもよい。
【００２５】
そのうちの旋回可能な接続の実施形態として、具体的には、トップカバー８０には、旋回軸ベース８０ａが設けられ、旋回軸ベース８０ａの両端には、軸孔がそれぞれ設けられ、充電ハウジング１０には、旋回可能な取り付け口が設けられ、旋回可能な取り付け口の対向する両側壁には、旋回軸１３０が固定的に設けられ、旋回軸ベース８０ａは、旋回可能な取り付け口に嵌合して設けられ、且つ旋回軸１３０に嵌設して取り付けられる。
【００２６】
別の旋回可能な接続の実施形態として、上記方法との違いは、旋回軸ベース８０ａは、維持する間隔に対応して、２つ設けられ、２つの旋回軸ベース８０ａの外側には、軸溝がそれぞれ設けられ、２つの旋回軸ベース８０ａの内側には、接続軸がそれぞれ設けられ、旋回可能な取り付け口には、２つの旋回軸１３０の間に位置する取り付けベースがさらに設けられ、取り付けベースの両端には、位置決め溝が設けられ、軸溝と旋回軸１３０は、嵌合取り付けられ、接続軸は、位置決め溝に嵌合取り付けられることである。
【００２７】
好ましくは、充電ハウジング１０内には、トップカバー８０を磁気的に誘引するための第１磁気部材９０が設けられ、第１磁気部材９０は、トップカバー８０の近くに配置される。
【００２８】
具体的には、トップカバー８０の内側には、誘引により第１磁気部材９０に接続された第２磁気部材１４０が取り付けられ、充電ハウジング１０内には、被充電デバイスを磁気的に誘引するための第３磁気部材１５０が設けられ、第３磁気部材１５０は、充電槽１０ａの下方に位置している。第１磁気部材９０、第２磁気部材１４０及び第３磁気部材１５０は、磁気シート、磁気ブロック又は磁気ストリップである。
【００２９】
好ましくは、充電ハウジング１０は、取り外し可能に接続された第１上部ハウジング１１と第１下部ハウジング１２を含み、第１上部ハウジング１１には、充電槽１０ａが配置され、第１下部ハウジング１２内には、収容キャビティが設けられる。
【００３０】
具体的には、充電ハウジング１０には、外部フレーム１１０がさらに設けられる。ここで、外部フレーム１１０は、下外部フレーム１１１と上部外部フレーム１１３を含み、下外部フレーム１１１は、第１下部ハウジング１２に取り付けられ、第１下部ハウジング１１の底部には、位置決め溝が設けられ、位置決め溝内には、第１上部ハウジング１１と第１下部ハウジング１２を固定するネジを遮るための底板１１２が取り付けられ、上部外部フレーム１１３は、第１上部ハウジング１１に取り付けられる。トップカバー８０は、順番に取り付けられたミラー取り付け用フレーム８１、インナーカバー８２及びアウターカバー８３を含み、旋回軸ベース８０ａは、ミラー取り付け用フレーム８１に取り付けられ、第２磁気部材１４０は、インナーカバー８２に取り付けられる。
【００３１】
本考案は、充電ケース１を含む美容機器をさらに提供し、充電槽１０ａ内には、美容機器本体２が埋め込まれ、美容機器本体２内には、第２回路基板３が設けられ、第２回路基板３には、電源モジュール４、信号送受信ユニット５及び充電コネクタ６が取り付けられ、電源モジュール４は、信号送受信ユニット５と充電コネクタ６にそれぞれ電気的に接続され、信号送受信ユニット５は、アンテナを介して無線遠隔制御ユニットに無線接続され、充電コネクタ６は、美容機器本体２を貫通して電気コネクタ５０に適合している。
【００３２】
具体的には、美容機器本体２には、充電ポート２ａが設けられ、充電コネクタ６は、充電ピンに適合している充電シンブルであり、充電シンブル６は、充電ポート２ａに嵌合して設けられる。
【００３３】
具体的には、美容機器本体２内には、磁気作用により第３磁気部材１５０に接続された金属板２７が設けられ、金属板２７は、電源モジュール４の下方に位置しており、金属板２７がニッケルメッキ板であることが好ましい。充電ケース１を逆さまにしてトップカバー８０を開くと、美容機器本体２が充電槽１０ａ内から落ちるのを防ぐ。
【００３４】
具体的には、美容機器本体２は、取り外し可能に接続された第２上部ハウジング２１と第２下部ハウジング２２を含み、第２上部ハウジング２２又は第２下部ハウジング２１内には、収容キャビティが設けられる。第２下部ハウジング２２には、美容機器本体２を開閉するためのボタン２５が移動可能に取り付けられ、第２上部ハウジング２１と第２下部ハウジング２２との間には、シールリングが設けられ、第２下部ハウジング２２と第２回路基板３との間には、ボタン２５を防水するための防水パッド９がさらに設けられ、防水パッド９には、ボタン嵌合部が設けられる。導電性シート８は、第２上部ハウジング２１の外面に取り付けられる。
【００３５】
好ましくは、第２回路基板３には、微小電流発生回路７が設けられ、微小電流発生回路７は、電源モジュール４と信号送受信ユニット５にそれぞれ電気的に接続され、美容機器本体２には、顔面と直接接触するための導電性シート８が設けられ、導電性シート８は、微小電流発生回路７に電気的に接続され、導電性シート８は、顔面の皮膚に微小電流刺激を適用するステンレス鋼板である。ここで、第２回路基板３には、作動指示灯とブザーがさらに設けられる。
【００３６】
図５に示す断面図は、導電性シート８を垂直方向に切断することにより得られたものであり、具体的には、第２回路基板３には、導電性ネジ３１が取り付けられ、導電性ネジ３１の下端は、美容機器本体２を貫通して導電性シート７と密接に接触する導電性スプリング３２が設けられる。美容機器本体２の外側には、基板２３が取り付けられ、導電性シート８は、基板２３の外面に嵌合取り付けられ、基板２３の背面には、美容機器本体２内に挿入された支持柱２４が設けられ、支持柱２４内には、基板２３を上下に貫通する貫通穴が設けられ、導電性ネジ３１の下端は、貫通穴の上部に埋め込まれ、貫通穴の下部は、変位制限導電性スプリング３２に嵌合する。美容機器本体２と基板２３との間には、支持柱２４の外側に嵌設されたシールリングが設けられる。
【００３７】
微小電流発生回路７により発生された微小電流は、導電性ネジ３１を経て導電性スプリング３２を介して導電性シート８に伝達され、且つ皮膚に作用し、特に顔面の皮膚の場合、微小電流を利用して筋肉とリンパを刺激することにより筋肉を収縮させると、浮腫を取り除き、持ち上げたり引き締めたりする効果を達成することができると同時に、導電性ネジ３１と導電性シート８を導電性スプリング３２で接続することにより、導電性ネジ３１が導電性シート８に直接接触することで導電性シート８の一部が膨らみ、皮膚に密着できないことをもたらすという問題を避けることができるため、快適度が良好であると同時に、一定の耐衝撃効果があり、構造の複雑さが低く、体積が小さい。
【００３８】
具体的には、第２下部ハウジング２２の外側には、保護カバー２６がさらに設けられ、ボタン２５は、保護カバー２６に移動可能に取り付けられる。
【００３９】
充電ハウジング１０は、複数の被充電デバイスを同時に容易に充電及び無線制御するために、複数の充電槽１０ａを備え得、ボタンモジュール７０は、複数の被充電デバイスを同時に閉じるように制御するために使用される。
【００４０】
図９〜１２に示すように、Ｕ３は、無線遠隔制御モジュール６０であり、Ｕ１は、電源管理チップであり、Ｕ２は、電圧レギュレータチップである。
【００４１】
図１３〜１６に示すように、Ｕ１は、信号送受信ユニット５であり、Ｕ２は、電源管理チップであり、Ｕ４は、電圧レギュレータチップであり、ＢＴ１は、電池であり、Ｂ１は、ブザーであり、ＰＡＤＡとＰＡＤＢは、導電性シート８にそれぞれ接続される。
【００４２】
使用中、充電ケース１内での第１電池３０は、充電インターフェース１２０を介して充電され、第１電池３０は、充電槽１０ａ内での充電シンブルを介して美容機器本体２内での電源モジュール４を充電し、十分な電力の場合、美容機器本体２を充電槽１０ａ内から取り出し、ミラー１００を見て導電性シート８を顔面の皮膚に当ててゆっくりと移動させ、無線遠隔制御モジュール６０のボタンモジュール７０を介して信号送受信ユニット５に制御信号を送信することにより、微小電流発生回路７により発生された微小電流が導電性シート８を経て顔面の皮膚に作用するように制御でき、微小電流を利用して筋肉とリンパを刺激することにより顔面の筋肉を収縮させると、浮腫を取り除き、持ち上げたり引き締めたりする効果を達成することができる。
【００４３】
上記は、本考案の好ましい実施形態にすぎず、本考案の保護範囲は、上記実施例にのみ限定されるものではなく、本考案のアイデアに基づくすべての技術的解決手段はいずれも、本考案の保護範囲に属する。当業者であれば、本考案の原理を逸脱することなくいくつかの改善と修正を行うことが可能であり、これらの改善と修正も本考案の保護範囲に含まれるものとすることを指摘すべきである。
【符号の説明】
【００４４】
１０    充電ハウジング
１０ａ  充電槽
１１    第１上部ハウジング
１２    第１下部ハウジング
２０    第１回路基板
３０    第１電池
４０    充電回路
５０    電気コネクタ
６０    無線遠隔制御モジュール
７０    ボタンモジュール
８０    トップカバー
８０ａ  旋回軸ベース
８１    ミラー取り付け用フレーム
８２    インナーカバー
８３    アウターカバー
９０    第１磁気部材
１００  ミラー
１１０  外部フレーム
１１１  下部外部フレーム
１１２    底板
１１３    上部外部フレーム
１２０    充電インターフェース
１３０    旋回軸
１４０    第２磁気部材
１５０    第３磁気部材
１６０    スイッチボタン
１      充電ケース
２      美容機器本体
２ａ    充電ポート
２１    第２上部ハウジング
２２    第２下部ハウジング
２３    基板
２４    支持柱
２５    ボタン
２６    保護カバー
２７    金属板
３      第２回路基板
３１    導電性ネジ
３２    導電性スプリング
４    電源モジュール
５    信号送受信ユニット
６    充電コネクタ
７    微小電流発生回路
８    導電性シート
９    防水パッド